(57)【要約】      （修正有）【課題】カードを効率よく収納出来るカード入れを提供する。【解決手段】長方形状の一方の長辺に相当する部分を開口とし、且つ他の３辺に相当する部分が閉塞された概略長方形状の袋部を形成する２枚のシート状部材と、前記袋部を形成する２枚のシート状部材の少なくとも一方に設けられた複数のＬ字状スリット１を有し、複数のＬ字状スリットの各々は、挿入するカードの巾よりやや広い巾で、閉塞された長辺を下辺５として、下辺に概略平行なスリット状平行部１ａと、そのスリット状平行部の一方の端から下辺方向に向けて切下げられた切下げ部１ｂを有し、複数のＬ字状スリットが、Ｌ字状スリットの切下げ部側方向に順次ずらされ、且つ、複数のＬ字状スリットが交差することの無いように、上辺方向に順次ずらされて、上り階段状に配置されている。【選択図】図１
2015112747.tif 000002
【特許請求の範囲】
【請求項１】
長方形状の一方の長辺に相当する部分を開口とし、且つ他の３辺に相当する部分が閉塞された概略長方形状の袋部を形成する２枚のシート状部材と、前記袋部を形成する２枚のシート状部材の少なくとも一方に設けられた複数のＬ字状スリットを有し、前記複数のＬ字状スリットの各々は、挿入するカードの巾よりやや広い巾で、前記閉塞された長辺を下辺として、前記下辺に概略平行なスリット状平行部と、そのスリット状平行部の一方の端から前記下辺方向に向けて切下げられた切下げ部を有し、前記複数のＬ字状スリットが、Ｌ字状スリットの切下げ部側方向に順次ずらされ、且つ、複数のＬ字状スリットが交差することの無いように、上辺方向に順次ずらされて、上り階段状に配置されていることを特徴とするカード入れ。
【請求項２】
Ｌ字状スリットは、Ｌ字曲がり角近傍に折り曲げ可能な折り目が設けられ、Ｌ字曲がり角近傍が三角状の舌状部として折り曲げ可能に構成されたことを特徴とする請求項１記載のカード入れ。
【請求項３】
請求項１または請求項２記載のカード入れを２個有し、各カード入れの少なくとも一方のシート状部材の横辺方向の高さがカード高さよりも大きく構成され、かつ各シート状部材の上辺同士が、各袋部開口部が対面するように連結されたことを特徴とする請求項１または２記載のカード入れ。
【発明の詳細な説明】
【技術分野】
【０００１】
本発明は、カード入れに関する。
【背景技術】
【０００２】
従来から、シート素材を用いてカード類を並べる機能のあるカード入れは周知である。
【先行技術文献】
【特許文献】
【０００３】
【特許文献１】特開２０００−４８１４３
【０００４】
【特許文献２】実開平７−２１３８４
【発明の概要】
【発明が解決しようとする課題】
【０００５】
特開２０００−４８１４３は、カード挿入面にスリットをずらすように設けてカードをずらして収納出来るが、スリットを斜め方向にずらしているために、本体の縦方向、横方向共に大きさが広がるので、結果として大きめな収納品となる。
【０００６】
実開平７−２１３８４はカード挿入のためのスリットが並んでいるので、カードをたくさん収納しようとすると、収納部が大きくなる。
【０００７】
本発明は上記問題を解決して、カードを効率よく収納出来るカード入れを提供することを目的とするものである。
【課題を解決するための手段】
【０００８】
本発明は、上記目的を達成させるため、長方形状の一方の長辺に相当する部分を開口とし、且つ他の３辺に相当する部分が閉塞された概略長方形状の袋部を形成する２枚のシート状部材と、前記袋部を形成する２枚のシート状部材の少なくとも一方に設けられた複数のＬ字状スリットを有し、前記複数のＬ字状スリットの各々は、挿入するカードの巾よりやや広い巾で、前記閉塞された長辺を下辺として、前記下辺に概略平行なスリット状平行部と、そのスリット状平行部の一方の端から前記下辺方向に向けて切下げられた切下げ部を有し、前記複数のＬ字状スリットが、Ｌ字状スリットの切下げ部側方向に順次ずらされ、且つ、複数のＬ字状スリットが交差することの無いように、上辺方向に順次ずらされて、上り階段状に配置されていることを特徴とするカード入れを提供する。
【発明の効果】
【０００９】
上記により、本発明は以下のような効果が得られる。
１． シート素材に、Ｌ字状スリットを複数個設けている構造なので、本発明自身がかさばることが無く、結果として、軽量で薄くなるものを提供出来る。
２． カードは下辺に沿ってずらして収納出来るので、複数枚のカードを効率よく小さい面積に収納することが可能になる。
【図面の簡単な説明】
【００１０】
【図１】本発明の一実施例のカード入れの正面やや上方からの斜視図である。
【図２】本発明のカード挿入部の説明図である。
【図３】本発明の実施例１のカード入れのカード収納時の正面図である。
【図４】本発明の実施例２のカード入れの斜視図である。
【図５】本発明の実施例２のカード入れの変形例の斜視図である。
【発明を実施するための形態】
【００１１】
以下、本発明の実施の形態を図に基づいて説明する。
（実施例１）
【００１２】
図１に示すように、カード入れは、概略長方形状の袋部９を有している。この袋部９は概略長方形状で、前面シート状部材４ａと背面シート状部材４ｂで形成される。前面シート状部材４aと背面シート状部材４ｂは、もともと長方形の１枚のシートを下辺５に相当する部分を折り線にして２つ折りにして構成されている。長方形の長辺に相当する袋部９の下辺５と、下辺に直角方向の相対する短辺に相当する両横辺８は閉塞されており、長方形の他の長辺に相当する前面上辺６と背面上辺７が開口部を形成している。前面シート状部材４aと背面シート状部材４ｂの横辺８同士は、糊代を設けて接着または溶着等により閉塞され袋部を形成するように構成されている。
【００１３】
各々のＬ字状スリット１は、下辺５に概ね平行なカード巾よりやや広いスリット状平行部１ａと、その一方の端を下辺方向に切下げて形成される切下げ部１ｂ、スリット状平行部の他方の端となるスリット端部１ｃ及び、切下げ部１ｂの端に位置する切下げ端部1ｄから構成されている。スリット端部１ｃと切下げ端部１ｄには、カード１０挿入時の破損防止に、円弧状の返しを設けている。複数のＬ字状スリット１は、Ｌ字状スリットの切下げ部側方向に順次ずらし、且つ、Ｌ字状スリット１が交差することの無いように、前面上辺６方向に順次ずらして、全体として複数のL字状スリットが上り階段状になるように配置されている。各Ｌ字状スリットの高さ（深さ）方向の位置は異なるが、各Ｌ字状スリットにカード１０を挿入した場合、各カード１０の下辺が、袋部９の下辺５まで挿入されるため、カード１０の高さ（深さ）方向の位置がそろうようになっている。
【００１４】
図２に示すように、Ｌ字状スリット１のＬ字状の曲がり角には、三角形状の舌状部２を形成する折り目３が設けられ、舌状部２を折り目３を介して折り曲げることで、舌状部２とシート状部材４ｂの間に隙間部１１が形成され、更に、舌状部２近傍または舌状部２に色や形状により識別出来るマーク１２を設けることで、隙間部１１より、カード１０の挿入を容易にする。
【００１５】
舌状部２にカード１０を導く更なる手段として、舌状部２に目を引きつける為に、スリット状平行部１ａを下辺５に対し、上記実施例のように傾斜をつけても良い。従って、概略平行とは、数学的な平行ではなく、かなり傾いたものをも許容する。前記、Ｌ字状スリット１の切り下げ巾は、舌状部２を形成するのに十分であれば良い。前面シート状部材４ａと背面シート状部材４ｂは、１枚のシートを折り返したものではなく、もともと別部材であっても良い。
（実施例２）
【００１６】
実施例２のカード入れは、図４で示すように、実施例１で説明したカード入れを２個連結したものである。すなわち、実施例２の連結型カード入れは、実施例１のカード入れにおけるＬ字状スリット１を設けてない背面シート状部材４ｂの高さを前面シート部材４ａのそれより数ミリ&#12316;数十ミリ高くしたものを二つ用意し、各々の背面上辺７同士が連結されている。この実施例の連結型カード入れは、２つの袋部９が対向、対面するように連結されて、見開き使用が可能になる。また、重なったカード１０の厚みに考慮し、連結された背面上辺７の数ミリ両側にマチ形成線１３を設けている。また、両袋部９のＬ字状スリット１は図５の様に、左右対称にして配置することも出来る。
【００１７】
以上、本発明は、実施例に基づいて説明したが、本発明はこれらの実施例に限定されるものではなく、例えば図１で示すように、袋部９の横辺８方向の高さ（深さ）はカード１０の高さより低くても良いし、図３のように、折り目３やマーク１２を設けないものでも良い。シートの大きさや材質も、保持するカード１０に応じて最適なものを選択すれば良い。要は本発明の趣旨を逸脱しない限り、どのようなものでも良い。
【符号の説明】
【００１８】
１  Ｌ字状スリット
1ａ  スリット状平行部
１ｂ  切下げ部
１ｃ  スリット端部
１ｄ  切下げ端部
２  舌状部
３  折り目
４ａ  前面シート状部材
４ｂ  背面シート状部材
５  下辺
６  前面上辺
７  背面上辺
８  横辺
９  袋部
１０  カード
１１  隙間部
１２  マーク
１３  マチ形成線
【図１】
2015112747.tif 000003
【図２】
2015112747.tif 000004
【図３】
2015112747.tif 000005
【図４】
2015112747.tif 000006
【図５】
2015112747.tif 000007